【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
映像のデータから、該映像を頭出し再生するための所定の情報を作成する情報作成装置であって、
前記映像における一部の映像である部分映像の位置を判別する判別手段と、
前記判別された位置に関する情報に基づいて、前記部分映像に対する前記所定の情報を作成する作成手段と、
を有することを特徴とする情報作成装置。
【請求項２】
前記作成手段は、前記部分映像の位置の変化量に基づいて、前記部分映像に対する前記所定の情報を作成することを特徴とする請求項１記載の情報作成装置。
【請求項３】
前記作成手段は、前記変化量が所定の閾値以上である場合に、前記部分映像に対する前記所定の情報を作成することを特徴とする請求項２記載の情報作成装置。
【請求項４】
前記変化量は、前記部分映像のフレーム間における移動距離であることを特徴とする請求項２または３記載の情報作成装置。
【請求項５】
前記判別手段は、前記映像の各フレームに対して、前記部分映像の位置を判別することを特徴とする請求項１から４のいずれか１項に記載の情報作成装置。
【請求項６】
前記判別手段は、前記映像の所定の複数フレームごとに、前記部分映像の位置を判別することを特徴とする請求項１から４のいずれか１項に記載の情報作成装置。
【請求項７】
前記作成手段は、前記部分映像の前記映像に対する大きさの割合が、所定の閾値以下である場合に、前記部分映像の位置の変化量に基づいて前記部分映像に対する前記所定の情報を作成することを特徴とする請求項２から４のいずれか１項に記載の情報作成装置。
【請求項８】
前記判別手段は、前記部分映像の中心位置の座標を前記部分映像の位置として判別することを特徴とする請求項１から７のいずれか１項に記載の情報作成装置。
【請求項９】
前記判別手段は、前記部分映像の中心位置の座標を、前記映像の大きさを示す情報と、前記部分映像の、前記映像に対する相対的位置を特定する情報とに基づいて判別することを特徴とする請求項８に記載の情報作成装置。
【請求項１０】
前記作成手段は、前記部分映像の時間情報を前記所定の情報として生成することを特徴とする請求項１から９のいずれか１項に記載の情報作成装置。
【請求項１１】
前記作成手段は、前記部分映像の位置の変化量が予め定めた条件を満たしたと判断された際の前記部分映像の時間情報を前記所定の情報として生成することを特徴とする請求項１０記載の情報作成装置。
【請求項１２】
前記作成手段はさらに、前記映像に対する前記所定の情報を作成することを特徴とする請求項１から１１のいずれか１項に記載の情報作成装置。
【請求項１３】
前記作成手段は、前記映像の変化が検出されたことに応じて前記映像に対する前記所定の情報を作成することを特徴とする請求項１２記載の情報作成装置。
【請求項１４】
前記部分映像のデータと前記映像のデータとが、階層符号化されたデータに含まれることを特徴とする請求項１から１３のいずれか１項に記載の情報作成装置。
【請求項１５】
映像のデータから、該映像を頭出し再生するための所定の情報を作成する情報作成装置の制御方法であって、
前記映像における一部の映像である部分映像の位置を判別する判別工程と、
前記判別された位置に関する情報に基づいて、前記部分映像に対する前記所定の情報を作成する作成工程と、
を有することを特徴とする情報作成装置の制御方法。
【請求項１６】
前記作成工程において、前記部分映像の位置の変化量に基づいて、前記部分映像に対する前記所定の情報を作成することを特徴とする請求項１５記載の情報作成装置の制御方法。
【請求項１７】
前記作成工程において、前記変化量が所定の閾値以上である場合に、前記部分映像に対する前記所定の情報を作成することを特徴とする請求項１６記載の情報作成装置の制御方法。
【請求項１８】
前記変化量は、前記部分映像のフレーム間における移動距離であることを特徴とする請求項１６または１７記載の情報作成装置の制御方法。
【請求項１９】
前記判別工程において、前記映像の各フレームに対して、前記部分映像の位置を判別することを特徴とする請求項１５から１８のいずれか１項に記載の情報作成装置の制御方法。
【請求項２０】
前記判別工程において、前記映像の所定の複数フレームごとに、前記部分映像の位置を判別することを特徴とする請求項１５から１８のいずれか１項に記載の情報作成装置の制御方法。
【請求項２１】
前記作成工程において、前記部分映像の前記映像に対する大きさの割合が、所定の閾値以下である場合に、前記部分映像の位置の変化量に基づいて前記部分映像に対する前記所定の情報を作成することを特徴とする請求項１６から１８のいずれか１項に記載の情報作成装置の制御方法。
【請求項２２】
前記判別工程において、前記部分映像の中心位置の座標を前記部分映像の位置として判別することを特徴とする請求項１５から２１のいずれか１項に記載の情報作成装置の制御方法。
【請求項２３】
前記判別工程において、前記部分映像の中心位置の座標を、前記映像の大きさを示す情報と、前記部分映像の、前記映像に対する相対的位置を特定する情報とに基づいて判別することを特徴とする請求項２２に記載の情報作成装置の制御方法。
【請求項２４】
前記作成工程において、前記部分映像の時間情報を前記所定の情報として生成することを特徴とする請求項１５から２３のいずれか１項に記載の情報作成装置の制御方法。
【請求項２５】
前記作成工程において、前記部分映像の位置の変化量が予め定めた条件を満たしたと判断された際の前記部分映像の時間情報を前記所定の情報として生成することを特徴とする請求項２４記載の情報作成装置の制御方法。
【請求項２６】
前記作成工程において、前記映像に対する前記所定の情報を作成することを特徴とする請求項１５から２５のいずれか１項に記載の情報作成装置の制御方法。
【請求項２７】
前記作成工程において、前記映像の変化が検出されたことに応じて前記映像に対する前記所定の情報を作成することを特徴とする請求項２６記載の情報作成装置の制御方法。
【請求項２８】
前記部分映像のデータと前記映像のデータとが、階層符号化されたデータに含まれることを特徴とする請求項１５から２７のいずれか１項に記載の情報作成装置の制御方法。
【請求項２９】
コンピュータを、請求項１から１４のいずれか１項に記載の情報作成装置の各手段として機能させるためのプログラム。
【手続補正２】
【補正対象書類名】明細書
【補正対象項目名】発明の名称
【補正方法】変更
【補正の内容】
【発明の名称】情報作成装置及びその制御方法
【手続補正３】
【補正対象書類名】明細書
【補正対象項目名】０００１
【補正方法】変更
【補正の内容】
【０００１】
本発明は、映像を頭出し再生するための情報を作成する情報作成装置及びその制御方法に関し、特にある映像の一部である部分映像を頭出し再生するための情報を作成する情報作成装置及びその制御方法に関する。
【手続補正４】
【補正対象書類名】明細書
【補正対象項目名】０００８
【補正方法】変更
【補正の内容】
【０００８】
本発明はこのような従来技術の課題に鑑みなされたものである。本発明は、ある映像の一部である部分映像について、頭出し再生をするための情報を簡便な方法で生成する情報作成装置およびその制御方法を提供する。
【手続補正５】
【補正対象書類名】明細書
【補正対象項目名】０００９
【補正方法】変更
【補正の内容】
【０００９】
上述の目的は、映像のデータから、映像を頭出し再生するための所定の情報を作成する情報作成装置であって、映像における一部の映像である部分映像の位置を判別する判別手段と、判別された位置に関する情報に基づいて、部分映像に対する所定の情報を作成する作成手段と、を有することを特徴とする情報作成装置によって達成される。
【手続補正６】
【補正対象書類名】明細書
【補正対象項目名】００１０
【補正方法】変更
【補正の内容】
【００１０】
このような構成により、本発明によれば、ある映像の一部である部分映像について、頭出し再生をするための情報を簡便な方法で生成する情報作成装置およびその制御方法を提供できる。
【手続補正７】
【補正対象書類名】明細書
【補正対象項目名】００４９
【補正方法】変更
【補正の内容】
【００４９】
さらに、本実施形態では、SPS内のエンハンスレイヤの画角のオフセット情報を利用したが、映像ストリームデータ中の各スライスに関する符号化情報が格納されているスライスヘッダから、エンハンスレイヤの画角のオフセット情報を取得してもよい。